(57)【要約】【課題】運転部の刈取り前処理部が位置する方の横側部にサイドカバーを安価かつ強固に備えられるコンバインを提供する。【解決手段】サイドカバー２０は、ブロー成型された一対の中空カバー体２０Ａ，２０Ｂを連結して構成するようにしてある。サイドカバー２０の後端側に、穀粒搬出装置の横スクリューコンベアを支持する支柱４７、及び、この支柱４７に連結しているカバー取付け片４６を両中空カバー体２０Ａ，２０Ｂによって挟んでいる部分を備えてある。カバー取付け片４６を貫通する連結ボルトによって両中空カバー体２０Ａ，２０Ｂを締め付け連結するようにしてある。【選択図】　　　　図３
2004016167.tif 000002
【特許請求の範囲】
【請求項１】
刈取り前処理部と運転部とが機体横方向に並んでいるコンバインの運転部構造であって、
前記運転部の前記刈取り前処理部が位置する方の横側部に、ブロー成型された一対の中空カバー体が機体横方向に並ぶとともに連結し合って成るサイドカバーを設け、
前記サイドカバーに、タンクから穀粒搬出する穀粒搬出装置に支持作用する機体上下向きの支柱と、この支柱に支持されているカバー取付け片とを前記一対の中空カバー体どうしによって挟んでいる部分、及び、前記カバー取付け片を貫通した状態で前記一対の中空カバー体を締め付け連結している連結具を備えてあるコンバインの運転部構造。
【請求項２】
前記一対の中空カバー体それぞれの前記支柱を挟んでいる部分に、前記支柱の方に突出してこの支柱に当接している突部を備えてある請求項１記載のコンバインの運転部構造。
【請求項３】
前記一対の中空カバー体のうち、運転部内側に位置する方の中空カバー体にスイッチ取付け盤部を備えてあるとともに、前記一対の中空カバー体それぞれの上下及び前後方向での中間部で、かつ、前記スイッチ取付け盤部の近くで前記一対の中空カバー体の側面どうしが当接し合っている部分を備えてある請求項１又は２記載のコンバインの運転部構造。
【発明の詳細な説明】
【０００１】
【発明の属する技術分野】
本発明は、刈取り前処理部と運転部とが機体横方向に並んでいるコンバインの運転部構造に関する。
【０００２】
【従来の技術】
上記コンバインにおいて、運転部の刈取り前処理部が位置する方の横側部にサイドカバーを設けられたものがあった。この種のコンバインにあっては、従来、プレス加工などで作製された板金製であるか、射出成型された樹脂製のサイドカバーが採用されていた。
【０００３】
【発明が解決しようとする課題】
従来、板金や樹脂材を成形する金型に必要な経費の面からコスト高になっていた。充分な強度を備えさせるには、補強構造を付加する必要があり、この面からもコスト高になっていた。また、組付けに必要な手間が大になっていた。
【０００４】
本発明の目的は、優れた強度を有するサイドカバーをコスト面でも組付け作業面でも有利に備えさせられるコンバインの運転部構造を提供することにある。
【０００５】
【課題を解決するための手段】
請求項１による発明の構成、作用、効果はつぎのとおりである。
【０００６】
〔構成〕
刈取り前処理部と運転部とが機体横方向に並んでいるコンバインの運転部構造において、
前記運転部の前記刈取り前処理部が位置する方の横側部に、ブロー成型された一対の中空カバー体が機体横方向に並ぶとともに連結し合って成るサイドカバーを設け、前記サイドカバーに、タンクから穀粒搬出する穀粒搬出装置に支持作用する機体上下向きの支柱と、この支柱に支持されているカバー取付け片とを前記一対の中空カバー体どうしによって挟んでいる部分、及び、前記カバー取付け片を貫通した状態で前記一対の中空カバー体を締め付け連結している連結具を備えてある。
【０００７】
〔作用〕
ブロー成型された一対の中空カバー体が連結し合って成るサイドカバーを採用しているものだから、製作用の金型としては外金型だけを準備することによってサイドカバーを得られる。サイドカバーを構成している一対の中空カバー体それぞれが中空構造のために優れた強度を発揮するものだから、サイドカバーに特別な補強構造を付加することなく優れた強度を備えさせられる。サイドカバーが一対の中空カバー体によって前記支柱及びカバー取付け片を挟むとともにカバー取付け片に対して連結具によって締め付け連結されるものだから、サイドカバーの取り付けを強固にできる。
【０００８】
〔効果〕
従って、サイドカバーを装着して居住性のよい運転部を得るのに、製作用金型を外金型だけに済ませて、かつ、特別な補強構造を必要としないで、さらに、穀粒搬出装置のための支柱を取付け部材に利用して、さらに、中空カバー体どうしの連結のための連結具をサイドカバーをカバー取付け片に締め付け連結する手段に利用して、サイドカバーをカバーそのものの強度の面からも取り付け強度の面からも強固に、しかも安価かつ組付け容易に装着して得られる。
【０００９】
請求項２による発明の構成、作用、効果はつぎのとおりである。
【００１０】
〔構成〕
請求項１による発明の構成において、前記一対の中空カバー体それぞれの前記支柱を挟んでいる部分に、前記支柱の方に突出してこの支柱に当接している突部を備えてある。
【００１１】
〔作用〕
ブロー成型の場合、中空カバー体の側壁の肉厚不揃いなどに起因し、支柱を挟む部分の内径が全体にわたって均一になりにくいが、このような仕上がり不良が若干あっても、支柱を挟む部分が突部によって支柱に確実に当接して支柱に対する締め付けを強固に行わせられるものである。
【００１２】
〔効果〕
ブロー成型に若干の仕上がり不良があっても、サイドカバーを前記突部によって支柱に対して強固に締め付けてサイドカバーの取付けをより強固に行える。
【００１３】
請求項３による発明の構成、作用、効果はつぎのとおりである。
【００１４】
〔構成〕
請求項１又は２による発明の構成において、前記一対の中空カバー体のうち、運転部内側に位置する方の中空カバー体にスイッチ取付け盤部を備えてあるとともに、前記一対の中空カバー体それぞれの上下及び前後方向での中間部で、かつ、前記スイッチ取付け盤部の近くで前記一対の中空カバー体の側面どうしが当接し合っている部分を備えてある。
【００１５】
〔作用〕
ブロー成型の場合、中空カバー体の側壁の肉厚不揃いなどに起因し、側面どうしが全面にわたって密着しにくくなることから、中空カバー体の上下方向及び前後方向での中間部に側面どうしの隙間ができるようにして一対の中空カバー体を連結するように構成される。スイッチ取付け盤部を備えさせた場合、このスイッチ取付け盤部の裏側に、スイッチ部分や配線を収容するスペースとしての広い側面どうしの隙間を設けることから、スイッチ取付け盤部の付近では、中空カバー体どうしの連結強度が低下しやすくなる。ところが、スイッチ取付け盤部の近くで中空カバー体の側面どうしが当接し合う部分を備えてあるものだから、この部分での側面どうしの当接によって連結強度の低下を抑制しながら、スイッチ取付け盤部を備えさせられる。
【００１６】
〔効果〕
従って、スイッチ取付け盤部を備えるものでありながら、中空カバー体どうしの連結強度が高くて優れた強度を備えた状態にサイドカバーを得られる。
【００１７】
【発明の実施の形態】
図１、図２に示すように、左右一対のクローラ式走行装置１０、運転座席９が装備されている搭乗型の運転部２などを備えている自走機体の機体フレーム８の前端側に、前記運転部２と機体横方向に並ぶように配置した刈取り前処理部１を昇降操作自在に連結するとともに、この刈取り前処理部１の後方に位置する脱穀装置３、運転部２の後方に位置する穀粒タンク４を機体フレーム８に搭載し、穀粒タンク４の後側に位置する穀粒排出部４ａに機体上下向きの縦スクリューコンベア４９ａが接続している穀粒搬送装置４８を備えさせて、コンバインを構成してある。
【００１８】
このコンバインは、稲・麦などを収穫するものであり、刈取り前処理部１は、２条の植立穀稈を引起装置５によって引起こし処理するとともにバリカン型の刈取装置によって刈取り処理し、刈取穀稈を株元側に作用する挟持搬送装置と穂先側に作用する係止搬送装置とで成る搬送装置７によって後方に搬送して脱穀装置３の脱穀フィードチェーン６の始端部に供給する。脱穀装置３は、脱穀フィードチェーン６によって刈取穀稈を後方に挟持搬送しながら、その穂先側を扱室（図示せず）に供給して脱穀処理する。穀粒タンク４は、脱穀装置３からの脱穀粒を回収して貯留する。
【００１９】
前記穀粒搬出装置４８は、穀粒タンク４の穀粒排出部４ａからの穀粒を前記縦スクリューコンベア４９ａによって揚送し、この縦スクリューコンベア４９ａの上端側から起伏操作自在に延出している横スクリューコンベア４９ｂによって横送りし、横スクリューコンベア４９ａの吐出口４９ｃから運搬車荷台などに搬出するように構成し、かつ、横スクリューコンベア４９ｂの中間部を運転座席９の横側方に配置してある支持具５０に載置して受け止め支持させることによって、格納状態になるように構成してある。
【００２０】
図２に示すように、運転部２の運転座席９の前方に、固定ハンドル５１が上部に付いている樹脂製の前操縦パネル１３を設け、運転部２の刈取り前処理部１が位置する方の横側部に、エンジン燃料計やエンジン回転計などを備えている表示装置１９が前端部に付いている板金製のサイド操作パネル１８と、この操作パネル１８の横外側に操作パネル１８のほぼ全長にわたる縦壁を形成しているとともに平面視で前端側が後端側に対してやや横向きに傾斜しているサイドカバー２０とを設けてある。
【００２１】
前操縦パネル１３の上部に、前記固定ハンドル５１の前方近くに位置するように配置した操向レバー１１を設けるとともに、この操向レバー１１の揺動操作によって左右の走行装置１０の駆動を制御して機体の操向操作を行うようにしてある。
【００２２】
サイド操作パネル１８に、主変速レバー１４、副変速レバー１５、アクセルレバー１２、作業レバー１７、刈取り変速レバー１６を機体前後及び横方向に並べて設けるとともに、主変速レバー１４及び副変速レバー１５によって走行用変速装置（図示せず）を操作して走行速度の変更を行い、アクセルレバー１２によってエンジンのアクセル調節を行い、作業レバー１７によって刈取り前処理部１及び脱穀装置３に対する伝動の入り切り操作を行い、刈取り変速レバー１６によって刈取り前処理部１の駆動速度の変更を行うようにしてある。
【００２３】
図７、図１１などに示すように、サイドカバー２０の前端側の上部に固定ハンドル３３を設けるとともに、この固定ハンドル３３は、立ち姿勢で操縦するとか刈取り前処理部１を見る際など、身体を支えるように把持ができるようにしてある。図１１に示すように、サイドカバー２０の前記固定ハンドル３３のやや後方に位置する部位に、方向指示スイッチ５３、扱深さ調節スイッチユニット５４、機体姿勢調節スイッチユニット５５を設けるとともに、方向指示スイッチ５３の操作によって方向指示灯（図示せず）の操作を行うようにし、扱深さ調節スイッチユニット５４のスイッチ操作により、脱穀装置３における扱深さ制御を入り切り操作したり、扱深さを深扱き側や浅扱き側に調節するようにし、機体姿勢調節スイッチユニット５５のスイッチ操作により、左右のクローラ走行装置１０の機体フレーム８に対する昇降制御によって機体を左右方向での水平姿勢に維持するローリング制御を入り切り操作したり、左右のクローラ走行装置１０を機体フレーム８に対して昇降調節して機体の対地高さを調節するようにしてある。
【００２４】
図５（ロ）、図６（ロ）、図１０などに示すように、前記サイドカバー２０は、前記固定ハンドル３３、及び、前記スイッチユニット５４，５５や方向指示スイッチ５３を備えている中空構造の樹脂製メインカバー体２０Ａと、このメインカバー体２０Ａの後端側に対して機体横方向に並んで連結している中空構造の樹脂製サブカバー体２０Ｂとによって構成してあり、さらに詳述すると、図３〜図８に示す如く構成してある。
【００２５】
すなわち、メインカバー体２０Ａを、樹脂材のブロー成型により、前記固定ハンドル３３を形成する貫通孔３２、この貫通孔３２のやや前方でかつ下方に位置する凹部３４、前記貫通孔３２のやや後方でかつ下方に位置するスイッチ取付け盤部３７を形成するコンプレッション部及び凹部３６、スイッチ取付け盤部３７の下方に位置する切欠き３８、スイッチ取付け盤部３７の前側近くや前記凹部３４の下方に分散している複数のコンプレッション部３１などを備え、かつ、内部に図９、図１０の如き中空部２２ａが存在している中空構造に作製し、サブカバー体２０Ｂを、樹脂材のブロー成型により、下端側に位置する切欠き３８、下端側や上端側に分散している複数の連結用凹部ａ，ｂ，ｄなどを備え、かつ、内部に図９、図１０の如き中空部２２ｂが存在している中空構造に作製する。このとき、メインカバー体２０Ａとサブカバー体２０Ｂとを、薄肉ヒンジ２１で連結し合った一つの部品に作製する。前記薄肉ヒンジ２１での折り曲げによって裏面側どうしが対向し合う状態になったメインカバー体２０Ａとサブカバー体２０Ｂとを、前記コンプレッション部３１とか連結用凹部ａ，ｂ，ｄ、メインカバー体２０Ａやサブカバー体２０Ｂの下端部に設けたボルト孔３０，ｅ，ｆに装着した図１０の如き連結ボルト２９による締め付け力によって連結させ合うことにより、サイドカバー２０を作製してある。
【００２６】
図１０に示すように、前記スイッチ取付け盤部３７に前記スイッチユニット５４，５５及び方向指示スイッチ５３のそれぞれに対応する図３の如きスイッチ組付け孔３７ａを設けて各スイッチユニット５４，５５やスイッチ５３を取付けるように構成し、メインカバー体２０Ａの前記切欠き３８と、サブカバー体２０Ｂの前記切欠き３８とが対向して、各スイッチユニット５４，５５及びスイッチ５３に接続する電気コード４０をサイドカバー２０から外部に導出する配線孔を形成するようにしてある。
【００２７】
サブカバー体２０Ｂの裏面側に、サブカバー体２０Ｂの外側に膨出した突出部４５をサブカバー体２０Ｂのブロー成型の際に同時に成型して設け、サブカバー体２０Ｂ及びメインカバー体２０Ａの上下及び前後方向での中間部でサブカバー体２０Ｂとメインカバー体２０Ａの裏面側どうしが、両カバー体２０Ａ，２０Ｂの締め付け連結と、前記突出部４５とのために前記スイッチ取付け盤部３７の上側近くで当接し合って、サイドカバー２０の強度アップを図っている。
【００２８】
メインカバー体２０Ａの裏面側に、図４の如くメインカバー体２０Ａの外側に膨出した前後一対の突出部４３をメインカバー体２０Ａのブロー成型の際に同時に成型して設け、両カバー体２０Ａ，２０Ｂの締め付け連結のために、前記一対の突出部４３と、図４の如くサブカバー体２０Ｂの裏面側に設けてある前後一対の凹部４４とが各別に嵌合し合い、両カバー体２０Ａ，２０Ｂの相対的な位置ずれを防止して連結強度のアップを図っている。
【００２９】
サイドカバー２０は、図１０に示す支持フレーム２８に下端側を支持させ、図１に示す如く前記支持具５０を支持することによって格納状態の横スクリューコンベア４９ｂに支持作用するように機体フレーム８に立設されている丸パイプ材で成る機体上下向きの支柱４７に後端側を支持させることによって固定してある。
【００３０】
図１０に示すように、サイドカバー２０の下端側の取付けは、メインカバー体２０Ａとサブカバー体２０Ｂの下端側どうしを締め付け連結している前記連結ボルト２９を支持フレーム２８に締め付け連結することによって行ってある。
【００３１】
図９に示すように、サイドカバー２０の後端側の前記支柱４７に対する取付けは、前記支柱４７の外周面側に一端側が固着されて支持されている図３の如きカバー取付け片４６、サイドカバー２０の後端側に設けた連結部分６０などを備えた取付け構造によって行ってある。
【００３２】
すなわち、サイドカバー２０の前記連結部分６０は、メインカバー体２０Ａの裏面側にメインカバー体２０Ａのブロー成型の際に同時に成型して設けた図４、図９の如き機体上下向きの支柱嵌入溝６１及び取付け片嵌入凹部６２を備えている取付け部分と、サブカバー体２０Ｂの裏面側にサブカバー体２０Ｂのブロー成型の際に同時に成型して設けた図４、図９の如き機体上下向きの支柱嵌入溝６３を備えている取付け部分とを備えて成り、メインカバー体２０Ａの前記連結用凹部ａ，ｂなどに装着されてメインカバー体２０Ａとサブカバー体２０Ｂとを締め付け連結している連結ボルト２３，２４，２９による締め付け力のために、メインカバー体２０Ａの前記取付け部分と、サブカバー体２０Ｂの前記取付け部分とによって支柱４７及びカバー取付け片４６を挟んでいる。メインカバー体２０Ａの前記一方の連結用凹部ｂに装着されてメインカバー体２０Ａとサブカバー体２０Ｂとを締め付け連結している連結ボルト２３が、前記カバー取付け片４６を貫通していて、この取り付け片４６にメインカバー体２０Ａ及びサブカバー体２０Ｂを締め付け連結している。
つまり、サイドカバー後端側の取り付け構造は、支柱４７の挟み込みとカバー取り付け片４６に対する締め付け連結とによって支柱４７によるサイドカバー２０の支持を可能にしている。
【００３３】
図１２（イ）は、別の実施形態を備えたサイドカバー後端側の連結部分６０を示し、この連結部分６０にあっては、メインカバー体２０Ａ及びサブカバー体２０Ｂそれぞれの支柱嵌入溝６１，６３の上端側に、支柱４７の方に突出している突部６４，６５をカバー体２０Ａ，２０Ｂのブロー成型の際に同時に成型して設け、メインカバー体２０Ａとサブカバー体２０Ｂの締め付け力のために各突部６４，６５が支柱４７に当接し、これによって支柱４７を強固に挟持するようにように構成してある。
【００３４】
図１２（ロ）は、更に別の実施形態を備えたサイドカバー後端側の連結部分６０を示し、この連結部分６０にあっては、メインカバー体２０Ａ及びサブカバー体２０Ｂそれぞれの支柱嵌入溝６１，６３の上端側に支柱４７の方に突出して当接するように設けてある突部６４，６５を、図１２（イ）に示すものより先鋭な突部に形成してある。
【００３５】
〔別実施形態〕
メインカバー体２０Ａとサブカバー体２０Ｂとを締め付け連結するのに、上記実施形態の如く連結ボルト２３を採用して実施する他、樹脂製や金属製のリベットなどを採用して実施してもよいのであり、これら連結ボルト２３、リベットなどを総称して連結具２３と呼称する。
【図面の簡単な説明】
【図１】コンバイン全体の側面図
【図２】コンバイン全体の平面図
【図３】サイドカバーの展開状態での斜視図
【図４】サイドカバーの展開状態での斜視図
【図５】（イ）は、サイドカバーの展開状態での平面図、（ロ）は、サイドカバーの平面図
【図６】（イ）は、サイドカバーの展開状態での底面図、（ロ）は、サイドカバーの底面図
【図７】サイドカバーの運転部側での側面図
【図８】サイドカバーの刈取り前処理部側での側面図
【図９】（イ）は、サイドカバーの組み付け解除状態での横断面図、（ロ）は、サイドカバーの組み付け状態での横断面図
【図１０】サイドカバーの縦断面図
【図１１】サイドカバーの前端側の斜視図
【図１２】（イ）は、別の実施形態を備えるサイドカバーの支柱挟持部を示す断面図、（ロ）は、さらに別の実施形態を備えるサイドカバーの支柱挟持部を示す断面図
【符号の説明】
１　　　　　　　刈取り前処理部
２　　　　　　　運転部
４　　　　　　　タンク
２０　　　　　　サイドカバー
２０Ａ，２０Ｂ　　　中空カバー体
２３　　　　　　連結具
３７　　　　　　スイッチ取付け盤部
４５　　　　　　部分
４６　　　　　　カバー取付け片
４７　　　　　　支柱
４９ｂ　　　　　穀粒搬出装置
６０　　　　　　支柱を挟む部分
６４，６５　　　突部
【図１】
2004016167.tif 000003
【図２】
2004016167.tif 000004
【図３】
2004016167.tif 000005
【図４】
2004016167.tif 000006
【図５】
2004016167.tif 000007
【図６】
2004016167.tif 000008
【図７】
2004016167.tif 000009
【図８】
2004016167.tif 000010
【図９】
2004016167.tif 000011
【図１０】
2004016167.tif 000012
【図１１】
2004016167.tif 000013
【図１２】
2004016167.tif 000014